(57)【要約】【課題】ＨＰＦ（Ｈｉｇｈ  Ｐａｓｓ  Ｆｉｌｔｅｒ；ＨＰＦ）を用いることなく、受信した変調信号を復調することのできるＬＦ受信回路を提供する。【解決手段】増幅器（ゲインアンプ）１１１から出力された増幅信号の「０」のデータを示す信号のレベルが、「Ｌ」レベルまたは「Ｈ」レベルのうち、必ず「Ｌ」レベルになるように、オフセット調整回路２１がＡＳＫ信号のレベルと比較基準信号のレベルとの間のオフセットを調整しておく。従って、ＬＦ受信回路１０においては、増幅信号のうちの「０」のデータを示す信号部分のレベルが必ず「Ｌ」レベルになるようにするためにＨＰＦが用いていないが、ゲインアンプ１１１から出力された増幅信号をローパスフィルタ（ＬＰＦ）３１に直接入力しても変調信号を復調することができる。【選択図】図１
2013126230.tif 000002
【特許請求の範囲】
【請求項１】
比較基準信号を基準にして入力信号を増幅する増幅器を含むゲイン段と、
前記増幅器により前記入力信号を増幅した増幅信号をフィルタリングするローパスフィルタを含む復調段と、
を備え、
前記ゲイン段は、前記増幅器に入力される前記入力信号のレベルと前記比較基準信号のレベルとの間に所望の大きさのオフセットが残るように、前記入力信号のレベルと前記比較基準信号のレベルとの間のオフセットを調整するオフセット調整回路をさらに備えるとともに、
前記復調段は、前記増幅器により前記入力信号を増幅した前記増幅信号が、前記ローパスフィルタに入力されるようにしたことを特徴とするＬＦ受信回路。
【請求項２】
前記オフセット調整回路は、前記増幅器により前記入力信号を増幅した前記増幅信号のうちの所望のデータを示す信号部分のレベルが所望のレベルになるように、所望のオフセット補正量を生成するとともに、前記増幅器に入力される前記入力信号に対して当該オフセット補正量を付加することにより、前記入力信号のレベルと前記比較基準信号のレベルとの間のオフセットを調整することを特徴とする請求項１に記載のＬＦ受信回路。
【請求項３】
前記オフセット調整回路は、前記増幅器に入力される前記入力信号のレベルが前記比較基準信号のレベルより小さくなるように、前記オフセット補正量を生成することを特徴とする請求項２に記載のＬＦ受信回路。
【請求項４】
前記オフセット調整回路は、前記増幅器に入力される前記入力信号のレベルが前記比較基準信号のレベルより大きくなるように、前記オフセット補正量を生成することを特徴とする請求項２に記載のＬＦ受信回路。
【請求項５】
前記オフセット調整回路は、前記増幅器がその内部回路として有することを特徴とする請求項１乃至４のいずれか１項に記載のＬＦ受信回路。
【請求項６】
前記ローパスフィルタは、プリアンプ段と、ローパスフィルタ段と、ポストアンプ段との各段から構成されることを特徴とする請求項１乃至５のいずれか１項に記載のＬＦ受信回路。
【発明の詳細な説明】
【技術分野】
【０００１】
本発明は、ＬＦ受信回路に関し、特にＬＦの変調信号を入力信号として受信し、その変調信号を復調して復調信号として出力するＬＦ受信回路に関する。
【背景技術】
【０００２】
ＬＦ（Ｌｏｗ  Ｆｒｅｑｕｅｎｃｙ）の変調信号を入力信号として受信し、その変調信号を復調して復調信号として出力するＬＦ受信回路がある。
図６は、一般的なＬＦ受信回路１００の回路構成を示すブロック図である。図６に示すＬＦ受信回路１００は、入力された微小な入力信号である振幅偏移変調（Ａｍｐｌｉｔｕｄｅ  Ｓｈｉｆｔ  Ｋｅｙｉｎｇ；ＡＳＫ）信号を増幅して増幅信号として出力するゲイン段１１０と、その増幅信号を復調して復調信号として出力する復調段１２０とから構成される。
【０００３】
ゲイン段１１０には、ＡＳＫ信号を所望のゲインで増幅するための増幅器（ゲインアンプ）１１１を含んで構成される。また、復調段１２０には、ゲイン段１１０で入力信号を一旦増幅した増幅信号をフィルタリングするローパスフィルタ（Ｌｏｗ  Ｐａｓｓ  Ｆｉｌｔｅｒ；ＬＰＦ）１２１を含む復調回路で構成される。
このＬＦ受信回路１００における復調処理の手順は次の通りである。まず、ゲイン段１１０のゲインアンプ１１１が、比較基準信号を基準にして入力信号を一旦増幅し、その増幅された入力信号を増幅信号として出力する。続いて、復調段１２０のＬＰＦ１２１が、その増幅信号をフィルタリングする。ＬＦ受信回路１００における復調処理は、このように行われるのが一般的である。そして、復調段１２０は、最終的な出力信号として、復調信号であるＤＥＭＯＵＴ信号を出力する。このようなＬＦ受信回路の一例として、下記の特許文献１の従来の復調回路を有するＬＦ受信回路２００がある。
【０００４】
図７は、従来の復調回路を有するＬＦ受信回路２００の回路構成を示すブロック図である。
従来のＬＦ受信回路２００は、ＬＦ受信回路１００と同様に、ゲイン段２１０と、復調段２２０とから構成される。
ゲイン段２１０は、上記で説明したゲインアンプ１１１の前段に、入力信号の感度を調整するためのオフセットキャンセル回路２１１が接続される。
【０００５】
ゲインアンプ１１１は、比較基準信号のレベルを基準にして、比較基準信号のレベルと入力信号のレベルとを比較する。そして、ゲインアンプ１１１は、その比較結果を所望のＤＣ（Ｄｉｒｅｃｔ  Ｃｕｒｒｅｎｔ）レベルである「Ｌ（Ｌｏｗ）」レベル、または「Ｌ」レベルより高いレベルである「Ｈ（Ｈｉｇｈ）」で出力する。なお、入力信号は、ゲインアンプ１１１により増幅され、増幅信号として出力される。
【０００６】
復調段２２０は、上記で説明したＬＰＦ１２１の前段に、ハイパスフィルタ（Ｈｉｇｈ  Ｐａｓｓ  Ｆｉｌｔｅｒ；ＨＰＦ）２２１が接続される。つまり、ＨＰＦ２２１は、ゲインアンプ１１１とＬＰＦ１２１との間に接続されている。そして、ＨＰＦ２２１は、ゲインアンプ１１１の出力の動作点とＬＰＦ１２１の入力の動作点とが異なることによる回路動作上の不都合を補うため、ゲインアンプ１１１の出力の動作点がＬＰＦ１２１の入力の動作点と同じになるように、ゲインアンプ１１１の出力の動作点を決定する。
【０００７】
従って、ＬＦ受信回路２００における復調処理は、ＨＰＦ２２１とＬＰＦ１２１とを含む復調回路において、ゲイン段１１０から出力された増幅信号がＨＰＦ２２１を介してＬＰＦ１２１に入力され、ＬＰＦ１２１がその増幅信号をフィルタリングすることで行われる。
図８は、従来のＬＦ受信回路２００の各部の入出力信号のレベルを示すタイミングチャートである。
【０００８】
図８のタイミングチャートの縦軸は、上からオフセットキャンセル回路２１１に入力されるＡＳＫ信号、オフセットキャンセル回路２１１から出力されるオフセットキャンセル済信号、ゲインアンプ１１１から出力される増幅信号、ＨＰＦ２２１のフィルタ出力信号、およびＬＰＦ１２１から出力されるＤＥＭＯＵＴ信号の各レベルを示す。また、横軸は、時間を示す。
【０００９】
なお、図８のタイミングチャートでは、ＡＳＫ信号のレベルとオフセットキャンセル済信号のレベルとに、ゲインアンプ１１１の比較基準信号のレベルを合わせて示している。
図７に示したＬＦ受信回路２００には、入力信号として、例えば図８に示すような「１」、「０」、「１」、「０」のデータを示すＡＳＫ信号が入力される。まず、オフセットキャンセル回路２１１が、このＡＳＫ信号に対してオフセットキャンセルを行う。すると、図８中に示すような、オフセットキャンセル回路２１１からＡＳＫ信号と比較基準信号との間のオフセットがキャセルされたオフセットキャンセル済信号が出力される。ＡＳＫ信号に対してオフセットキャンセルを行うことにより、オフセットキャンセル済信号の「０」のデータを示す信号部分（矢印Ａで示す部分）のレベルと、ゲインアンプ１１１の比較基準信号のレベルとがほぼ等しくなるように調整される。そして、ゲインアンプ１１１が、そのオフセットキャンセル済信号を所望のゲインで増幅すると、ゲインアンプ１１１から図８中に示すような増幅信号が出力される。
【００１０】
しかしながら、増幅信号の「０」のデータを示す信号部分（矢印Ｂで示す部分）のレベルが、「Ｌ」レベルまたは「Ｈ」レベルのうちの一方のレベルになっていない。これは、オフセットキャンセル回路２１１から出力されたオフセットキャンセル済信号の「０」のデータを示す信号のレベルが、比較基準信号のレベルと極めて近いためである。このような増幅信号をＬＰＦ１２１に直接入力しても、ＬＰＦ１２１は、変調信号を正しく復調することができない。
【００１１】
上記の問題を解決するために、ゲインアンプ１１１の出力側に直接ＬＰＦ１２１を接続するのではなく、ゲインアンプ１１１とＬＰＦ１２１との間にＨＰＦ２２１を接続することにより、ＨＰＦ２２１が増幅信号の「０」のデータを示す信号部分のレベルが、必ず「Ｌ」レベルになるようにしている。ＨＰＦ２２１が、ゲインアンプ１１１から出力された増幅信号を一旦フィルタリングすることによって、ＨＰＦ２２１から図８中に示すようなフィルタ出力信号が出力される。これにより、フィルタ出力信号の「０」のデータを示す信号部分（矢印Ｃで示す部分）のレベルが、必ず「Ｌ」レベルになっている。
【００１２】
そして、最終段のＬＰＦ１２１が、ＨＰＦ２２１から出力されたフィルタ出力信号をフィルタリングすることにより復調処理を行う。すると、ＨＰＦ２２１から、入力信号のＡＳＫ信号に対応する復調信号として、図８中に示すようなＤＥＭＯＵＴ信号が出力される。
このようにして、ＬＦ受信回路２００では、ゲイン段１１０の増幅器から出力された増幅信号をＬＰＦ１２１に直接入力するのではなく、増幅信号を一旦ＨＰＦ２２１に入力して、増幅器の出力の動作点がＬＰＦ１２１の入力の動作点と同じになるようにしていた。
【先行技術文献】
【特許文献】
【００１３】
【特許文献１】特開２００６−１０９１０５号公報
【発明の概要】
【発明が解決しようとする課題】
【００１４】
しかしながら、上記で説明したような、低周波数の信号を扱うＬＦ受信回路においては、復調段にＨＰＦを用いた場合に、ＨＰＦを構成する抵抗素子および容量素子の素子値が大きくなって、非常に大きな回路面積を占めるという問題があった。
そこで、本発明は、上記の課題に鑑み、ＨＰＦを用いることなく、受信した変調信号を復調することのできるＬＦ受信回路を提供することを目的とする。
【課題を解決するための手段】
【００１５】
本発明によるＬＦ受信回路は、上記の目的を達成するために、次のように構成される。
本発明のある態様によるＬＦ受信回路は、比較基準信号を基準にして入力信号を増幅する増幅器を含むゲイン段と、前記増幅器により前記入力信号を増幅した増幅信号をフィルタリングするローパスフィルタを含む復調段と、を備え、前記ゲイン段は、前記増幅器に入力される前記入力信号のレベルと前記比較基準信号のレベルとの間に所望の大きさのオフセットが残るように、前記入力信号のレベルと前記比較基準信号のレベルとの間のオフセットを調整するオフセット調整回路をさらに備えるとともに、前記復調段は、前記増幅器により前記入力信号を増幅した前記増幅信号が、前記ローパスフィルタに入力されるようにしたことを特徴とする。
【００１６】
上記のＬＦ受信回路によれば、増幅器から出力される増幅信号のうちの所望のデータ（例えば「０」のデータ）を示す信号部分のレベルが、必ず所望のレベル（例えば「Ｌ」レベルまたは「Ｈ」レベルのうちの「Ｌ」レベル）になるように、オフセット調整回路が入力信号のレベルと比較基準信号のレベルとの間のオフセットを調整しておく。通常は、入力信号のレベルと比較基準信号のレベルとの間のオフセットが、０になるように調整するため、増幅器から出力された増幅信号のうちの「０」のデータを示す信号のレベルは、比較基準信号のレベルと極めて近いレベルになる。このため、増幅信号のうちの「０」のデータを示す信号部分が、「Ｌ」レベルまたは「Ｈ」レベルのうちの一方のレベルにならない。
【００１７】
しかしながら、オフセット調整回路が、増幅器に入力される前記入力信号のレベルと、前記比較基準信号のレベルとの間に所望の大きさのオフセットが残るように、オフセットを調整しておく。これにより、増幅信号のうちの所望のデータを示す信号部分のレベルが必ず所定のレベルになるようにする（増幅器の出力の動作点がローパスフィルタの入力の動作点と同じになるように、増幅器の出力の動作点を決定する）ためにハイパスフィルタが用いることない。しかしながら、増幅器から出力された増幅信号をローパスフィルタに直接入力しても、変調信号を正しく復調することが可能となる。
【００１８】
本発明のある態様によるＬＦ受信回路は、前記オフセット調整回路は、前記増幅器により前記入力信号を増幅した前記増幅信号のうちの所望のデータを示す信号部分のレベルが所望のレベルになるように、所望のオフセット補正量を生成するとともに、前記増幅器に入力される前記入力信号に対して当該オフセット補正量を付加することにより、前記入力信号のレベルと前記比較基準信号のレベルとの間のオフセットを調整することを特徴とする。
【００１９】
上記のＬＦ受信回路によれば、オフセット調整回路が、増幅器から出力された増幅信号のうちの所望のデータを示す信号部分のレベルが所望のレベルになるように所望のオフセット補正量を生成する。そして、オフセット調整回路が、当該オフセット補正量を入力信号に付加する。
これにより、増幅器の出力の動作点がローパスフィルタの入力の動作点と同じになるように、増幅器の出力の動作点を決定することが可能となる。
【００２０】
本発明のある態様によるＬＦ受信回路は、前記オフセット調整回路は、前記増幅器に入力される前記入力信号のレベルが前記比較基準信号のレベルより小さくなるように、前記オフセット補正量を生成することを特徴とする。
上記のＬＦ受信回路によれば、オフセット調整回路が、入力信号のレベルが比較基準信号のレベルより小さくなるようにオフセット補正量を生成しておく。これにより、最終的に、増幅器から出力された増幅信号の「０」のデータを示す信号のレベルが、必ず「Ｌ」レベルになるようにすることが可能となる。
【００２１】
本発明のある態様によるＬＦ受信回路は、前記オフセット調整回路は、前記増幅器に入力される前記入力信号のレベルが前記比較基準信号のレベルより大きくなるように、前記オフセット補正量を生成することを特徴とする。
上記のＬＦ受信回路によれば、オフセット調整回路が、入力信号のレベルが比較基準信号のレベルより大きくなるようにオフセット補正量を生成しておく。これにより、最終的に、増幅器から出力された増幅信号の「０」のデータを示す信号のレベルが、必ず「Ｈ」レベルになるようにすることが可能となる。
【００２２】
本発明のある態様によるＬＦ受信回路は、前記オフセット調整回路は、前記増幅器がその内部回路として有することを特徴とする。
上記のＬＦ受信回路によれば、オフセット調整回路が内蔵されているタイプの増幅器を用いることにより、ＬＦ受信回路全体を比較的構成し易くすることが可能となる。
本発明のある態様によるＬＦ受信回路は、前記ローパスフィルタは、プリアンプ段と、ローパスフィルタ段と、ポストアンプ段との各段から構成されることを特徴とする。
【００２３】
上記のＬＦ受信回路によれば、ローパスフィルタにより、変調信号を復号するのみならず、復号される前の増幅信号や復号された後の復調信号を適切なレベルに増幅することが可能となる。
【発明の効果】
【００２４】
本発明のＬＦ受信回路によれば、増幅器から出力される増幅信号の所望のデータ（例えば「０」のデータ）を示す信号のレベルが、必ず所望のレベル（例えば「Ｌ」レベルまたは「Ｈ」レベルのうちの「Ｌ」レベル）になるように、オフセット調整回路が入力信号と比較基準信号との間のオフセットを調整しておく。これにより、所望のデータを示す増幅信号のレベルが必ず所定のレベルになるようにする（増幅器の出力の動作点がローパスフィルタの入力の動作点と同じになるように、増幅器の出力の動作点を決定する）ためにハイパスフィルタが用いることなく、増幅器から出力された増幅信号をローパスフィルタに直接入力しても変調信号を復調することができる。同時に、ＬＦの入力信号を扱うＬＦ受信回路として復調段の回路面積の省面積化を図ることができる。
【図面の簡単な説明】
【００２５】
【図１】本発明の実施形態に係るＬＦ受信回路１０の回路構成を示す回路図である。
【図２】ＬＦ受信回路１０のＬＰＦ３１の回路構成を示す回路図である。
【図３】ＬＦ受信回路１０の各部の入出力信号のレベルを示すタイミングチャートである。
【図４】入力信号および比較基準信号の各レベルと、入力信号と比較基準信号との間のオフセットを示すタイミングチャートである。
【図５】本発明の実施形態に係るＬＦ受信回路１０の変形例に係るＬＦ受信回路５０の回路構成を示す回路図である。
【図６】一般的なＬＦ受信回路１００の回路構成を示す回路図である。
【図７】一般的なＬＦ受信回路２００の回路構成を示す回路図である。
【図８】従来のＬＦ受信回路２００の各部の入出力信号のレベルを示すタイミングチャートである。
【発明を実施するための形態】
【００２６】
以下に、添付した図面を参照しながら、本発明のＬＦ受信回路の好適な実施の形態を詳細に説明にする。
（ＬＦ受信回路１０の回路構成）
まず、図１を参照して、本発明の本実施形態に係るＬＦ受信回路１０の回路構成を説明する。
本発明の実施形態に係るＬＦ受信回路１０の回路構成を示す回路図である。図１に示すＬＦ受信回路１０は、背景技術で説明したＬＦ受信回路１００，２００と同様に、入力された微小な入力信号であるＡＳＫ信号を増幅するゲイン段２０と、その増幅されたＡＳＫ信号を復調する復調段３０とから構成される。ＬＦ受信回路１０の基本的な回路構成については、背景技術で説明したＬＦ受信回路２００と実質変わらないが、ゲイン段２０と復調段３０との各内部の回路構成がＬＦ受信回路２００と異なる。
【００２７】
具体的に、ゲイン段２０においては、上記で説明したゲインアンプ１１１を有しているが、ゲインアンプ１１１の前段に接続されていたオフセットキャンセル回路２１１の代わりに、オフセット調整回路２１が接続されている。このオフセット調整回路２１は、所望のオフセット補正量を生成し、入力信号に対してそのオフセット補正量を付加する。これにより、オフセット調整回路２１は、ゲインアンプ１１１から出力された増幅信号のうちの「０」のデータを示す信号部分のレベルが、必ず「Ｌ」レベルになるように、ＡＳＫ信号のレベルと比較基準信号のレベルとの間のオフセットを調整する。
【００２８】
また、復調段３０においては、ＬＰＦ１２１の代わりに、ＬＰＦ１２１の回路構成と異なる回路構成のＬＰＦ３１を有している。さらに、ＬＦ受信回路２００の復調段３０においては、ＬＰＦ１２１の前段にＨＰＦ２２１が接続されていたが、そのＨＰＦ２２１を用いていない。つまり、ゲインアンプ１１１から出力された増幅信号が、ＬＰＦ１２１に直接入力されている。勿論、ＬＰＦ１２１の直前に、ＨＰＦ２２１以外の回路が接続されていても良い。
【００２９】
（ＬＰＦ３１の回路構成）
続いて、図２を参照して、ＬＦ受信回路２０のＬＰＦ３１の回路構成を説明する。
図２は、ＬＦ受信回路１０のＬＰＦ３１の回路構成を示す回路図である。図２に示すＬＰＦ３１は、機能的に、プリアンプ（ＰｒｅＡｍｐ）段３１ａと、ＬＰＦ段３１ｂと、ポストアンプ（ＰｏｓｔＡｍｐ）段３１ｃとの各回路部分とから構成される。
まず、ＬＰＦ３１の１段目は、プリアンプ段３１ａになっている。このプリアンプ段３１ａは、ＰＭＯＳトランジスタ３２ａ，３２ｂとＮＭＯＳトランジスタ３３ａ，３３ｂとを有し、２段のソース接地増幅回路で構成される。そして、プリアンプ段３１ａは、ＬＰＦ段３１ｂの前段において、増幅信号を増幅する役割をもっている。
【００３０】
そして、ＬＰＦ３１の２段目が、ＬＰＦ段３１ｂになっている。このＬＰＦ段３１ｂは、抵抗素子３４と容量素子（キャパシタ）３５とから構成される。そして、ＡＳＫ信号をフィルタリングする役割をもっている。
さらに、ＬＰＦ３１の最終段が、ポストアンプ段３１ｃになっている。このポストアンプ段３１ｃは、ＰＭＯＳトランジスタ３６ａ，３６ｂとＮＭＯＳトランジスタ３７ａ，３７ｂとを有し、ソース接地増幅回路とインバータとで構成される。ポストアンプ段３１ｃは、ＬＰＦ段３１ｂによるフィルタリング処理により振幅が全体的に小さくなっている信号のレベルを、信号処理に必要なレベルまで増幅する役割をもっている。
このように、ＬＰＦ３１は、変調信号を復号する機能のみならず、復号される前の増幅信号や復号された後の復調信号を適切なレベルに増幅する機能を兼ね備えている。
【００３１】
（ＬＦ受信回路１０の回路動作）
続いて、図３を参照して、ＬＦ受信回路１０の回路動作を説明する。
図３は、ＬＦ受信回路１０の各部の入出力信号のレベルを示すタイミングチャートである。図３のタイミングチャートの縦軸は、上からオフセット調整回路２１に入力されるＡＳＫ信号、オフセット調整回路２１から出力されるオフセット調整済信号、ゲインアンプ１１１から出力される増幅信号、およびＬＰＦ３１から出力されるＤＥＭＯＵＴ信号の各レベルを示す。また、横軸は、時間を示す。
【００３２】
なお、図３のタイミングチャートにおいても、ＡＳＫ信号のレベルとオフセット調整済信号のレベルとに、ゲインアンプ１１１の比較基準信号のレベルを合わせて示している。また、本実施形態に係るＬＦ受信回路１０の回路動作と、背景技術で説明したＬＦ受信回路２００の回路動作との違いがわかりやすいように、ＬＦ受信回路１０に入力されるＡＳＫ信号も、図８のタイミングチャートに示したＡＳＫ信号と同じ「１」、「０」、「１」、「０」のデータを示す信号である。
【００３３】
このＡＳＫ信号であるが、オフセット調整回路２１におけるオフセット調整前の信号である。このため、ＡＳＫ信号とゲインアンプ１１１の比較基準信号との両信号間には、オフセットがある。
まず、オフセット調整回路２１は、入力されたＡＳＫ信号の「０」のデータを示す信号部分のレベルが、比較基準信号のレベルよりわずかに小さくなる（オフセットを０にしてしまうのではなく、所望の大きさのオフセットが残る）ように、ＡＳＫ信号のレベルと比較基準信号のレベルとの間のオフセットを調整する。すると、図３中に示すような、オフセット調整回路２１からオフセットが調整されたオフセット調整済信号が出力される。なお、図８のタイミングチャートに示したオフセットキャンセル済信号の「０」のデータを示す信号部分（矢印Ａで示す部分）のレベルが、比較基準信号のレベルと極めて近かった。しかしながら、オフセット調整回路２１から出力されたオフセット調整済信号の「０」のデータを示す信号部分（矢印Ａ´で示す部分）のレベルは、比較基準信号のレベルよりわずかに小さくなっている。このような状態になるように、オフセット調整回路２１は、ＡＳＫ信号とゲインアンプ１１１の比較基準信号との両信号間のオフセットを調整しておく。
【００３４】
そして、ゲインアンプ１１１が、そのオフセット調整済信号を所望のゲインで増幅すると、ゲインアンプ１１１から図３中に示すような増幅信号が出力される。ここで、増幅信号のうちの「０」のデータを示す信号部分（矢印Ｂ´で示す部分）に注目すると、その信号部分のレベルが必ず「Ｌ」レベルになっている。
背景技術で説明したＬＦ受信回路２００においては、オフセットキャンセル回路２１１から出力されたオフセットキャンセル済信号の「０」のデータを示す信号部分（矢印Ａで示す部分）のレベルが、比較基準信号のレベルと極めて近いレベルであった。このため、ゲインアンプ１１１から出力された増幅信号の「０」のデータを示す信号部分（矢印Ｂで示す部分）のレベルが、必ずしも「Ｌ」レベルもしくは「Ｈ」レベルのうちの一方のレベルにならなかった。故に、ゲインアンプ１１１から出力された増幅信号を、ＬＰＦ３１に直接入力して復調することができなかった。そこで、ゲインアンプ１１１とＬＰＦ３１との間にＨＰＦ２２１を接続することにより、ＨＰＦ２２１が増幅信号の「０」のデータを示す信号部分のレベルが、必ず「Ｌ」レベルになるようにしていた。
【００３５】
一方、ＬＦ受信回路１０においては、ＨＰＦ２２１を用いていないが、上述した通り、オフセット調整回路２１は、ＡＳＫ信号の「０」を示すデータの信号部分のレベルと、比較基準信号のレベルとの間に所望の大きさのオフセットが残るように、ＡＳＫ信号のレベルと比較基準信号のレベルとの間のオフセットを調整しておく。このため、ゲインアンプ１１１から出力された増幅信号のうちの「０」のデータを示す信号のレベルが、必ず「Ｌ」レベルになっている。
【００３６】
まとめると、ＬＦ受信回路２００においては、オフセット調整回路２１が、「０」を示すデータ部分のＡＳＫ信号のレベルと、比較基準信号のレベルとの間のオフセットを０に調整するのではなく、所望の大きさのオフセットが残るようにオフセットを調整しておく。そして、ゲインアンプ１１１が、オフセット調整回路２１から出力されたオフセット調整済信号を増幅さえすれば、増幅信号の「０」のデータを示す信号部分のレベルが、必ず「Ｌ」レベルになるようにしている。
そして、最終段のＬＰＦ３１が、ゲインアンプ１１１から出力された増幅信号をフィルタリングすることにより、復調処理を行う。すると、ゲインアンプ１１１から、入力信号のＡＳＫ信号に対応する復調信号として、図８中に示すようなＤＥＭＯＵＴ信号が出力される。
【００３７】
（ＬＦ受信回路１０のまとめ）
以上説明したように、本実施形態に係るＬＦ受信回路１０においては、ゲインアンプ１１１から出力される増幅信号の「０」のデータを示す信号のレベルが、「Ｌ」レベルまたは「Ｈ」レベルのうち、必ず「Ｌ」レベルになるように、オフセット調整回路２１がＡＳＫ信号のレベルと比較基準信号のレベルとの間のオフセットを調整しておく。従って、ＬＦ受信回路１０においては、増幅信号のうちの「０」のデータを示す信号部分が、必ず「Ｌ」レベルになるようにする（ゲインアンプ１１１の出力の動作点がＬＰＦ３１の入力の動作点と同じになるように、ゲインアンプ１１１の出力の動作点を決定する）ためにＨＰＦを用いていない。しかしながら、ゲインアンプ１１１から出力された増幅信号をＬＰＦ３１に直接入力しても、変調信号を正しく復調することができる。
【００３８】
なお、本発明の範囲は、図示・記載された例示的な実施形態に限定されるものではなく、本発明が目的とするものと均等な効果をもたらす全ての実施形態をも含む。さらに、本発明の範囲は、請求項により画される発明の特徴の組み合わせに限定されるものではなく、全ての開示されたそれぞれの特徴のうち特定の特徴のあらゆる所望する組み合わせによって画されうる。
【００３９】
例えば、本実施形態に係るＬＦ受信回路１０においては、ゲインアンプ１１１から出力された増幅信号の「０」のデータを示す信号のレベルが、必ず「Ｌ」レベルになるように、オフセット調整回路２１がＡＳＫ信号のレベルと比較基準信号のレベルとの間のオフセットを調整していた。しかしながら、オフセットを調整する際には、図４に示すように、ゲインアンプ１１１等の各回路部の特性等を考慮して、オフセット調整済信号の振幅Ｄのうちの範囲Ｅの内で、所望の大きさのオフセットが残るようにすれば良い。従って、オフセット調整回路２１が、入力されたＡＳＫ信号の「０」のデータを示す信号部分のレベルが、比較基準信号のレベルよりわずかに大きくなるように、ＡＳＫ信号と比較基準信号と間のオフセットを調整しておけば、ゲインアンプ１１１から出力された増幅信号の「０」のデータを示す信号のレベルが、必ず「Ｈ」レベルになるようにすることも可能である。
【００４０】
また、本実施形態に係るＬＦ受信回路１０においては、ＡＳＫ信号と比較基準信号との間のオフセットを調整するためのオフセット調整回路２１が、ゲインアンプ１１１の前段に接続されていた。しかしながら、オフセット調整回路２１は、ゲインアンプ１１１がその内部回路として有していても良い。図５は、本実施形態に係るＬＦ受信回路１０の変形例に係るＬＦ受信回路５０の回路構成を示す回路図である。図５に示すＬＦ受信回路５０のゲイン段２０においては、オフセット調整回路２１と、オフセット調整回路２１から出力されたオフセット調整済信号を実際に増幅する増幅回路５１とを合わせて、ゲインアンプ５２としている。つまりＬＦ受信回路１０におけるゲインアンプ１１１が、オフセット調整回路２１を内蔵しているのと同じである。このように、ＬＦ受信回路全体を比較的構成し易くするために、オフセット調整回路が内蔵されているタイプのゲインアンプを用いることも可能である。
【産業上の利用可能性】
【００４１】
本発明に係るＬＦ受信回路は、ＬＦの変調信号を入力信号として受信し、その変調信号を復調して復調信号として出力するＬＦ受信回路として、各種の半導体装置に用いることができる。
【符号の説明】
【００４２】
１０……ＬＦ受信回路
２０……ゲイン段
２１……オフセット調整回路
１１１……ゲインアンプ（増幅器）
３０……復調段
３１……ＬＰＦ（ローパスフィルタ）
３１ａ……プリアンプ（ＰｒｅＡｍｐ）段
３１ｂ……ＬＰＦ段
３１ｃ……ポストアンプ（ＰｏｓｔＡｍｐ段
３２ａ，３２ｂ，３６ａ，３６ｂ……ＰＭＯＳトランジスタ
３３ａ，３３ｂ，３７ａ，３７ｂ……ＮＭＯＳトランジスタ
３４……抵抗素子
３５……容量素子（キャパシタ）
【図１】
2013126230.tif 000003
【図２】
2013126230.tif 000004
【図３】
2013126230.tif 000005
【図４】
2013126230.tif 000006
【図５】
2013126230.tif 000007
【図６】
2013126230.tif 000008
【図７】
2013126230.tif 000009
【図８】
2013126230.tif 000010